(57)【要約】【課題】付帯情報の再生信号品質、および、データの記録・再生品質の双方を高められるようなウォブリング振幅量を有する光記録媒体を提供する。【解決手段】本光記録媒体では、グルーブ２におけるウォブリングの振幅量が、付帯情報（アドレス情報やクロック情報）の再生信号品質を好適に確保できる範囲であって、ウォブリングの影響を回避してデータの記録・再生を良好に行える範囲（実験によって求められた範囲）に設定されている。すなわち、光記録再生装置における対物レンズの開口数をＮＡ，記録レーザ光の波長をλとする場合、グルーブ２におけるウォブリング振幅量の絶対値Ａが、０．００４４≦Ａ×ＮＡ／λ≦０．０１３３を満たすように設定されている。これにより、付帯情報の再生信号品質、および、データの記録・再生品質の双方を高められる。【選択図】　図１
2004055011.tif 000002
【特許請求の範囲】
【請求項１】
光記録再生装置において記録レーザ光および磁場によってデータを記録される一方、再生レーザ光によってデータ再生の行われる光記録媒体であって、
付帯情報に応じてウォブリングされたグルーブを備えた光記録媒体において、上記光記録再生装置における対物レンズの開口数をＮＡ，記録レーザ光の波長をλとする場合、
上記グルーブにおけるウォブリング振幅量の絶対値Ａが、
０．００４４≦Ａ×ＮＡ／λ≦０．０１３３
を満たすことを特徴とする光記録媒体。
【請求項２】
データに応じた磁化を有する記録層と、
再生レーザ光の照射によって高温となった領域で記録層の磁化を転写する再生層とを有することを特徴とする請求項１に記載の光記録媒体。
【請求項３】
光記録再生装置において記録レーザ光によってデータを記録される一方、再生レーザ光によってデータ再生の行われる光記録媒体であって、
付帯情報に応じてウォブリングされたグルーブを備えた光記録媒体において、上記光記録再生装置における対物レンズの開口数をＮＡ，上記記録レーザ光の波長をλとする場合、
上記グルーブにおけるウォブリング振幅量の絶対値Ａが、
０．００４２≦Ａ×ＮＡ／λ≦０．０１２６
を満たすことを特徴とする光記録媒体。
【請求項４】
光記録再生装置において記録レーザ光および磁場、あるいは記録レーザ光によってデータを記録される一方、再生レーザ光によってデータ再生の行われる光記録媒体であって、
付帯情報に応じてウォブリングされたグルーブを備えた光記録媒体において、この媒体を再生することによって得られるトラックエラー信号におけるウォブリング信号量（Ｉｗ）と、平坦部分からの反射光に応じた電気信号量（Ｉｏ）との比（Ｉｗ／Ｉｏ）、および、
上記ウォブリング信号量（Ｉｗ）と、オフトラック時のトラックエラー信号量（Ｉｔ）との比（Ｉｗ／Ｉｔ）が、
Ｉｗ／Ｉｏ≧０．０１０、かつ、Ｉｗ／Ｉｔ≦０．０７１
を満たすことを特徴とする光記録媒体。
【請求項５】
基板と、この基板上に形成された積層体とからなり、
記録レーザ光が、積層体側から入射されるように設定されていることを特徴とする請求項１，３および４のいずれかに記載の光記録媒体。
【請求項６】
上記グルーブの深さｄと、記録レーザ光の入射部位の屈折率ｎとが、
５．５≦λ／（ｎ×ｄ）≦１６
を満たすことを特徴とする請求項１，３および４のいずれかに記載の光記録媒体。
【請求項７】
請求項１〜６のいずれかに記載の光記録媒体を備え、この光記録媒体に対してデータの記録・再生を行う光記録再生装置。
【発明の詳細な説明】
【０００１】
【発明の属する技術分野】
本発明は、アドレス情報などの付帯情報に応じてウォブリングされたグルーブを備えた光記録媒体に関するものである。
【０００２】
【従来の技術】
従来、光記録媒体としては、コンパクトディスク，ＤＶＤ等の、ピット列をあらかじめ基板に形成した再生専用のものと、光磁気ディスク（ミニディスク等）や相変化ディスク（ＤＶＤ−ＲＡＭなど）のような、書き込みの可能なものとがある。
【０００３】
書き込み可能な光記録媒体では、記録トラックが予め基板に形成されている。そして、光学ヘッドの光スポットを記録トラックに追従させることで、記録・再生を行うようになっている。
【０００４】
ところで、光記録媒体に対する記録・再生では、光スポットを記録トラックに追従させるために、トラッキングサーボが行われている。そして、このトラッキングサーボの１つの方式として、プッシュプル法を挙げられる。
【０００５】
プッシュプル法では、光記録媒体からの反射光を２つの受光部により受光して電気信号に変換する。そして、各受光部の電気信号の差に応じたプッシュプル信号を生成し、トラックエラー信号として用いるように設定されている。
【０００６】
また、光記録媒体にアドレス情報を設ける（アドレス情報を振りフォーマットする）方法として、各種の方式が提案されている。例えば、図１１に示すように、記録トラック（情報トラック）４９の途中に、アドレス情報に対応したプリピット５０を設ける方式がある。
しかしながら、このようなプリピット５０には、データを書き込むことができない。このため、この方式では、データ効率（単位面積あたりのデータ記録量）が低くなってしまうので、媒体の高密度化には不利となる。
【０００７】
また、例えば特開昭６４−３５７２７号公報には、アドレス情報をプリフォーマットする他の方式として、アドレス情報に応じて記録トラックをウォブリングさせる方式が開示されている。
この方式では、トラックエラー信号からウォブリング周波数成分を取り出すことにより、アドレス情報を求めることとなる。この方式は、データ効率の低減を回避できるため、媒体の高密度化の点で有利である。
【０００８】
また、光ディスクの形態を有する光記録媒体（光ディスク）では、記録・再生時に、ディスクの回転制御を行うためのクロック信号を生成する必要がある。このため、クロック信号に応じて記録トラックをウォブリングさせ、トラックエラー信号からウォブリング周波数成分を取り出すことにより、クロック信号を生成する方法も提案されている。
なお、通常、記録トラックにおけるウォブリングの振幅量は、ウォブリング信号（ウォブリング再生信号；トラックエラー信号から取り出されるウォブリング周波数成分に応じた信号）の品質を最適化するような値となっている。
【０００９】
【発明が解決しようとする課題】
さて、近来、光スポットに使用されるレーザの短波長化、対物レンズの高ＮＡ化、磁気的超解像媒体の開発が進められている。そして、このような技術開発によって、高密度記録の可能な光記録媒体（高密度媒体；記録トラックのピッチが狭く、記録マークの小さい光記録媒体）に対する記録・再生が可能となってきている。
【００１０】
しかしながら、このような高密度媒体では、アドレス情報やクロック情報を埋め込むために、従来の振幅のまま記録トラックをウォブリングさせると、データ再生に対するウォブリングの影響が大きくなり、再生信号が劣化してしまうという問題が発生する。
【００１１】
本発明は、上記のような従来の問題点を解決するために成されたものである。そして、その目的は、アドレス情報やクロック情報の再生信号品質、および、データの記録・再生品質の双方を高められるようなウォブリング振幅量を有する光記録媒体を提供することにある。
【００１２】
【課題を解決するための手段】
上記の目的を達成するために、本発明における第１の光記録媒体（第１光記録媒体）は、光記録再生装置において記録レーザ光および磁場によってデータを記録される一方、再生レーザ光によってデータ再生の行われる光記録媒体であって、付帯情報に応じてウォブリングされたグルーブを備えた光記録媒体において、上記光記録再生装置における対物レンズの開口数をＮＡ，記録レーザ光の波長をλとする場合、上記グルーブにおけるウォブリング振幅量の絶対値Ａが、
０．００４４≦Ａ×ＮＡ／λ≦０．０１３３
を満たすことを特徴としている。
【００１３】
また、本発明における第２の光記録媒体（第２光記録媒体）は、光記録再生装置において記録レーザ光によってデータを記録される一方、再生レーザ光によってデータ再生の行われる光記録媒体であって、付帯情報に応じてウォブリングされたグルーブを備えた光記録媒体において、上記光記録再生装置における対物レンズの開口数をＮＡ，上記記録レーザ光の波長をλとする場合、上記グルーブにおけるウォブリング振幅量の絶対値Ａが、
０．００４２≦Ａ×ＮＡ／λ≦０．０１２６
を満たすことを特徴としている。
【００１４】
これら第１・第２記録媒体は、光記録再生装置において、レーザ光の照射によってデータの再生を行うための光記録媒体である。
また、第１光記録媒体は、レーザ光および磁界によってデータ記録の行われる光磁気記録媒体である。一方、第２光記録媒体は、レーザ光のみでデータ記録を行える、いわゆる相変化型の光記録媒体である。
【００１５】
これら第１・第２光記録媒体は、上記したように、付帯情報に応じてウォブリング（蛇行）されたグルーブ（付帯情報に応じた周期（周波数）で蛇行したグルーブ）を備えている。
【００１６】
ここで、付帯情報とは、光記録媒体におけるデータ（ユーザーによって記録される情報）以外の情報のことであり、例えば、アドレス情報，クロック情報，動作制御情報（回転制御情報など）のことである。
そして、第１・第２光記録媒体の記録・再生時には、ウォブリングからのレーザ光の反射光によって、これらの付帯情報に関する再生信号（アドレス信号，クロック信号など）を得るようになっている。
【００１７】
また、第１・第２光記録媒体に対するデータの記録は、上記のグルーブ、または、グルーブ間のランド、あるいは、グルーブおよびランドの双方に対して行われる。
【００１８】
そして、特に、第１・第２光記録媒体では、グルーブにおけるウォブリングの振幅量が、付帯情報の再生信号品質を好適に確保できる範囲であって、ウォブリングの影響を回避してデータの記録・再生を良好に行える範囲（実験によって求められた範囲）に設定されている。
【００１９】
すなわち、光記録再生装置における対物レンズの開口数をＮＡ，記録レーザ光の波長をλとする場合、グルーブにおけるウォブリング振幅量の絶対値Ａが、第１光記録媒体の場合に０．００４４≦Ａ×ＮＡ／λ≦０．０１３３を、第２光記録媒体の場合に０．００４２≦Ａ×ＮＡ／λ≦０．０１２６を満たすように設定されている。
【００２０】
これにより、第１・第２光記録媒体では、付帯情報の再生信号品質、および、データの記録・再生品質の双方を高められるようになっている。
なお、上記の（Ａ×ＮＡ／λ）とは、レーザ光のスポット径変数に対するウォブリング振幅量の比（Ａ×ＮＡ／λ）である。また、レーザ光のスポット径変数（λ／ＮＡ）とは、レーザ光のスポット径を定数で割った値である。
【００２１】
また、第１記録媒体を、データ（ユーザーによって記録された情報）に応じた磁化を有する記録層（データを磁気的に記録する記録層）と、再生レーザ光の照射によって高温となった領域で記録層の磁化を転写する再生層とを備えるように構成してもよい。すなわち、第１記録媒体を、磁気的超解像光磁気記録媒体としてもよい。
【００２２】
この構成では、再生層の高温領域を再生に関与させる一方、その他の領域（低温領域）をマスクとして用いることができる。これにより、記録層の記録ビット（磁区）を、再生レーザ光のスポット径より小さくできるので、データの記録密度を著しく向上できる。また、低温領域のマスクによって、雑音の原因である隣接ビットからの信号混入を回避できる。
【００２３】
また、本発明における第３の光記録媒体（第３光記録媒体）は、光記録再生装置において記録レーザ光および磁場、あるいは記録レーザ光によってデータを記録される一方、再生レーザ光によってデータ再生の行われる光記録媒体であって、付帯情報に応じてウォブリングされたグルーブを備えた光記録媒体において、この媒体を再生することによって得られるトラックエラー信号におけるウォブリング信号量（Ｉｗ）と、平坦部分からの反射光に応じた電気信号量（Ｉｏ）との比（Ｉｗ／Ｉｏ）、および、上記ウォブリング信号量（Ｉｗ）と、オフトラック時のトラックエラー信号量（Ｉｔ）との比（Ｉｗ／Ｉｔ）が、Ｉｗ／Ｉｏ≧０．０１０、かつ、Ｉｗ／Ｉｔ≦０．０７１を満たすことを特徴としている。
【００２４】
この第３記録媒体は、第１・第２の光記録媒体と同様に、光記録再生装置において、レーザ光の照射によってデータの再生を行うための光記録媒体である。
なお、第３光記録媒体は、レーザ光および磁界によってデータ記録の行われる光磁気記録媒体であっても、また、レーザ光のみでデータ記録を行える、いわゆる相変化型の光記録媒体であってもよい。
【００２５】
この第３光記録媒体は、第１・第２光記録媒体ど同様に、付帯情報に応じてウォブリングされたグルーブを備えている。そして、記録・再生時には、ウォブリングからのレーザ光の反射光によって、これらの付帯情報に関する再生信号を得るようになっている。また、第３光記録媒体に対するデータの記録は、上記のグルーブ、または、グルーブ間のランド、あるいは、グルーブおよびランドの双方に対して行われる。
【００２６】
そして、特に、第３光記録媒体では、この媒体を再生することによって得られるトラックエラー信号におけるウォブリング信号量が、付帯情報の再生信号品質を好適に確保できる範囲であって、ウォブリングの影響を回避してデータの記録・再生を良好に行える範囲（実験によって求められた範囲）に設定されている。
【００２７】
すなわち、第３光記録媒体では、トラックエラー信号におけるウォブリング信号量（Ｉｗ）と、媒体の平坦部分（グルーブのない部分；ランドなど）からの反射光に応じた電気信号量（Ｉｏ）との比（Ｉｗ／Ｉｏ）が、Ｉｗ／Ｉｏ≧０．０１０を満たすようになっている。
さらに、第３光記録媒体では、ウォブリング信号量（Ｉｗ）と、オフトラック時のトラックエラー信号量（Ｉｔ）との比（Ｉｗ／Ｉｔ）が、Ｉｗ／Ｉｔ≦０．０７１を満たすように設定されている。
【００２８】
これにより、第３光記録媒体では、付帯情報の再生信号品質、および、データの記録・再生品質の双方を高められるようになっている。
【００２９】
なお、ウォブリング信号量とは、第３光記録媒体を再生することで得られるトラックエラー信号（電気信号）から取り出される、グルーブのウォブリング周波数成分に応じた信号の信号振幅量のことである。
【００３０】
ここで、ウォブリングにおける物理的な振幅量が同一であっても、検出されるウォブリング信号量は、サンプルの反射率やトラック形状により変化する。
そして、比（Ｉｗ／Ｉｏ）は、媒体の反射率によってウォブリング信号量（Ｉｗ）を規格化したものである。
すなわち、比（Ｉｗ／Ｉｏ）は、ウォブリング信号量（Ｉｗ）を、反射率の影響を除いて評価するためのものである。
【００３１】
また、オフトラック時とは、トラックサーボをかけていないとき、のことである。このときは、トラックの偏心により、再生レーザ光の光スポットは、複数のトラックを横切っている状態にある。すなわち、Ｉｔは、光スポットが複数のトラックを横切った場合における、トラックエラー信号の信号振幅量である。
そして、Ｉｗ／Ｉｔは、トラックエラー信号量（Ｉｔ）によってウォブリング信号量（Ｉｗ）を規格化した値である。
すなわち、比（Ｉｗ／Ｉｔ）は、ウォブリング信号量（Ｉｗ）を、トラック形状の影響を除いて評価するためのものである。
【００３２】
また、第３記録媒体が、レーザ光および磁界によってデータ記録の行われるタイプである場合には、この媒体を、第１光記録媒体と同様に、データに応じた磁化を有する記録層と、再生レーザ光の照射によって高温となった領域で記録層の磁化を転写する再生層とを備えるように構成してもよい。すなわち、第３記録媒体を、磁気的超解像光磁気記録媒体としてもよい。
【００３３】
また、第１〜第３光記録媒体は、通常、基板と、この基板上に形成された積層体とから構成される。ここで、積層体とは、記録・再生に有効な複数種類の層の積層されたものである。また、この構成は、記録レーザ光の入射を、基板側ではなく、積層体側から受けるようになっていることが好ましい。
これにより、光記録再生装置における対物レンズのＮＡを高められるので、データを高密度で記録できる。
【００３４】
また、第１〜第３光記録媒体における記録レーザ光の入射部位の屈折率ｎと、上記グルーブの深さｄとを、
５．５≦λ／（ｎ×ｄ）≦１６
を満たすように構成することが好ましい。
【００３５】
屈折率ｎおよびグルーブ深さ（溝深さ）ｄを上記の範囲に設定することで、付帯情報の再生信号品質をより好適に確保できるとともに、データの記録・再生をより良好に行えることが実験で確かめられている。
【００３６】
なお、上記したように、通常、光記録媒体は、基板と、その上に形成される積層体（複数の層からなるもの）とから構成される。そして、上記した記録レーザの入射部位とは、記録レーザ光の照射を受ける表面から、積層体における記録層（データを記録するための層）に到達するまでの部位のことである。
また、入射部位の屈折率は、この部位に複数の層のある場合には、それら複数の層における平均の屈折率となる。また、入射部位の屈折率として、入射部位のなかで最も支配的な（厚い）層の屈折率を採用することもできる。
【００３７】
また、光記録再生装置を、第１〜第３光記録媒体のいずれかを備え、これに対してデータの記録・再生を行うように構成することで、付帯情報の再生信号品質をより好適に確保できるとともに、データの記録・再生をより良好に行うことの可能な光記録再生装置を提供できる。
【００３８】
【発明の実施の形態】
本発明の一実施の形態について説明する。
図３は、本実施の形態にかかる光磁気ディスク（本ディスク；光磁気記録媒体））の構成を示す断面図である。
【００３９】
この図に示すように、本ディスクは、ディスク基板１上に、透明誘電体層２５，再生層２６，再生補助層２７，透明誘電体層２８，記録層２９，透明誘電体層３０，放熱層３１，保護コート層３２が、この順に積層された構成となっている。
【００４０】
透明誘電体層２５，２８，３０は、ＡｌＮ、ＳｉＮ、ＡｌＳｉＮ等の、酸素を含まない材料で構成されている。
放熱層３１は、Ａｌ膜、あるいは、Ａｌを含む合金膜からなる。
【００４１】
保護コート層３２は、紫外線硬化樹脂をスピンコートにより塗布して、紫外線を照射することによって形成される。
記録層２９は、希土類遷移金属合金からなる垂直磁化膜であり、室温において保磁力の大きなＴｂＦｅＣｏ，ＤｙＦｅＣｏ，またはＴｂＤｙＦｅＣｏ等で構成できる。
再生層（磁気的超解像光磁気記録再生層）２６は、希土類遷移金属合金（例えば、ＧｄＦｅＣｏ，ＧｄＤｙＦｅＣｏ等）からなり、室温から臨界（所定温度）まで面内磁化膜である一方、臨界温度以上では垂直磁化膜に転移する磁性層である。
再生補助層２７は、再生層２６および記録層２９よりキュリー温度の低い、希土類遷移金属合金（例えばＧｄＦｅ等）からなる面内磁化膜である。
【００４２】
また、図１は、ディスク基板１の構成を示す平面図であり、図２は、同じく断面図である。これらの図に示すように、ディスク基板１の表面には、グルーブ２およびランド３が形成されている。なお、上記した層２５〜３２は、これらグルーブ２およびランド３の形成面上に積層される。
【００４３】
グルーブ２は、ウォブリングされた（蛇行した）側壁４・４間に位置する螺旋状の溝部であり、プッシュプル方式のトラッキングに用いられるものである。また、データは、記録層２９におけるグルーブ２上の部分に記録される。従って、本ディスクの記録トラックはグルーブ２であり、トラックピッチは、グルーブ２の形成ピッチと同様となる。
ランド３は、グルーブ２・２間の領域であり、グルーブ２と同様の幅を有するように設定されている。
【００４４】
また、グルーブ２の側壁４・４は、アドレス情報に応じて、ディスク基板１の半径方向にウォブリング（蛇行）している（すなわち、アドレス情報に応じた周期（周波数）でウォブリングされている）。そして、そのウォブリング周波数（蛇行周波数）は、トラッキングサーボ系の追従周波数よりも高く、情報記録周波数よりも低い値に設定されている。
【００４５】
ここで、本ディスクに対するデータの記録・再生について説明する。本ディスクでは、後述するような記録再生装置によって、ディスク基板１側からレーザ光の照射を受けることで、記録・再生が行われるようになっている（基板入射方式）。
また、データの記録は、レーザ光および外部磁場によって、グルーブ２上の記録層２９に対して行われる。
【００４６】
また、記録・再生時、プッシュプル法によってトラックエラー信号を得るようになっている。さらにアドレス情報については、トラックエラー信号から側壁４の蛇行周波数成分を取り出すことによって求める。
【００４７】
すなわち、図１に示すように、光スポット（記録再生用光スポット）５をグルーブ２に追従させると、ウォブリング周波数がトラッキング系の追従周波数よりも高いので、スポット５は、グルーブ２の平均幅のほぼ中心線６上をトラッキングする。このため、グルーブ２のウォブリング振幅の半分に等しいトラッキング誤差が常に生じている。
従って、この誤差をトラックエラー信号から取り出すことで、ウォブリング周波数の信号成分を得られる。なお、光スポット５をランド３に追従させる場合についても同様である。
【００４８】
ここで、上記の光スポット５の直径は、グルーブ２の幅よりも大きく、かつ、トラックピッチの１．５倍よりも小さくすることが好ましい。これにより、追従しているグルーブ２の隣に位置するグルーブ２の側壁４に光スポット５を当ててしまうことを回避できるので、正確なアドレス情報を得られる。
【００４９】
また、記録されたデータは、次のように再生される。
すなわち、再生層２６における光スポット（再生レーザ光）５の照射部位は、ガウス分布に従った温度分布となる。
そして、光スポット５の直径より小さい領域（高温領域；記録層２９の記録ビットに応じたサイズを有する）のみが、臨界温度以上となって面内磁化から垂直磁化に移行し、磁気光学効果を示すようになる。
【００５０】
さらに、高温領域においては、再生層２６と記録層２９との磁化が静磁結合し、記録層２９の磁化（磁化の向き）が再生層２６に転写される。これにより、再生層２６における高温領域からの反射光に基づいて、記録層２９に記録されたデータを再生できる。
なお、上記の高温領域は、データの再生後、光スポット５の移動に伴って低温となり、垂直磁化から面内磁化に移行する。
【００５１】
また、再生層２６における面内磁化状態の低温領域は、磁気光学効果を示さないため、領域内における記録層２９の磁化をマスクする機能を有している。
このように、本ディスクでは、再生層２６の高温領域のみを再生に関与させる一方、低温領域をマスクとして用いることで、光スポット５の径より小さい記録ビットを再生するための、磁気的超解像光磁気記録媒体となっている。
これにより、データの記録密度を著しく向上できる。また、低温領域のマスクによって、雑音の原因である隣接ビットからの信号混入を回避できるようになっている。
また、本ディスクは、光磁気ディスクであるため、他のタイプの媒体に比して信頼性に優れ、１００万回以上のデータ記録（書き換え）が可能となっている。
【００５２】
次に、本ディスクに対する記録・再生を行うための、光記録再生装置（本記録再生装置）について説明する。図４は、本記録再生装置の構成を示す説明図である。
この図に示すように、本記録再生装置は、本ディスク３３に照射するレーザ光を生成する半導体レーザ（光源）３４、および、本ディスク３３にレーザ光を導くとともに、その反射光を受光する光学ヘッド４１を備えている。
【００５３】
光学ヘッド４１は、コリメータレンズ３５、偏光子３６、光分岐素子３７、対物レンズ３８を備えており、これらは、半導体レーザ３４から本ディスク３３に至る光路上に、半導体レーザ３４側から順に配置されている。また、光学ヘッド４１は、光路と垂直な方向に並んで配置された、検光子３９および受光部４０を有している。
【００５４】
コリメータレンズ３５は、半導体レーザ３４から照射され、拡散しながら入射するレーザ光を、平行光に変換するものである。光分岐素子３７は、コリメータレンズ３５にって変換された平行光を通過させる一方、本ディスク３３からの反射光（戻り光）を検光子３９に向けて反射させるものである。
【００５５】
対物レンズ３８は、光分岐素子３７を通過したレーザ光を集光し、光スポットＳを生成して本ディスク３３上に照射するものである。なお、この光スポットＳの反射光（戻り光）によって、本ディスク３３上のデータを読み出すこととなる。また、対物レンズ３８は、拡散しながら入射する戻り光を平行光に変換し、光分岐素子３７に入射させる機能も有している。
【００５６】
検光子３９および受光部４０は、光分岐素子３７で反射された戻り光の光路上に配置されている。受光部４０は、例えばフォトトランジスタからなり、本ディスク３３に記録されたデータおよびウォブリング（アドレス情報に応じたもの）に応じた戻り光の変調信号を、電気信号に変換するものである。
【００５７】
図５は、受光部４０の構成を示す説明図である。この図に示すように、受光部４０における戻り光の受光領域は、本ディスク３３のトラックに平行な分割線によって２分割される。そして、それぞれの領域に、第１受光素子４２ａ，第２受光素子４２ｂを配設している。
【００５８】
これら受光素子４２ａ・４２ｂは、戻り光を、それぞれの領域毎に受光するようになっている。すなわち、受光部４０に入射される戻り光は、上記の分割線によって２分割されており、各受光素子４２ａ・４２ｂにそれぞれ入射され、電気信号に変換される。
【００５９】
また、第１受光素子４２ａは、差動増幅器４３の非反転入力端子に接続されている一方、第２受光素子４２ｂは、差動増幅器４３の反転入力端子に接続されている。
【００６０】
差動増幅器４３は、第１受光素子（第１受光部）４２ａと第２受光素子（第２受光部）４２ｂとの電気信号から差動信号を算出するものである。そして、この差動信号により、トラックのウォブリング周波数成分を導出し、ウォブリング信号を生成するようになっている。
【００６１】
そして、本記録再生装置では、このように生成したウォブリング信号を用いてアドレス情報を生成するようになっている。従って、本記録再生装置は、簡便な方法でアドレス情報を管理できる、小型化および低価格化の容易な簡単な構成となっている。
【００６２】
なお、本記録再生装置は、受光部４０によって生成された電気信号から、データの再生、および、サーボ信号の生成・処理を実施する部材を有している（図示せず）。
ここで、本記録再生装置では、トラックサーボ信号とフォーカスサーボ信号との２つのサーボ信号を生成するようになっている。トラックサーボ信号は、トラックエラー信号の低帯域部から得られるものである。また、フォーカスサーボ信号は、本記録再生装置における図示しない他の受光系によって生成される。
【００６３】
次に、本ディスクにおける、ウォブリング振幅量，グルーブ深さ（溝深さ）およびトラックピッチの適切な値を確認するための実験について説明する。
【００６４】
〔実験１〕
実験１では、側壁４の様々なウォブリング振幅量を有する、本ディスクにおける１２種類のサンプルを作成し、図４に示した本記録再生装置を用いてデータを記録した後、ウォブリング信号（アドレス信号）およびデータ信号（記録されたデータに応じた再生信号）の再生信号品質を測定した。
【００６５】
なお、ウォブリング信号（アドレス信号）とは、トラックエラー信号から取り出されるウォブリング周波数成分に応じた再生信号であり、側壁４のウォブリングに応じたものである。
【００６６】
なお、各サンプルのウォブリング振幅量は、マスターガラス原盤の製造（後述）において、光偏向器１５への入力信号を変えることで変化させた。また、各サンプルのウォブリング振幅量については、ディスク基板１を作成した段階で、ＡＦＭ装置により測定を行った。
【００６７】
また、各サンプル層構成を、厚み０．６ｍｍのポリカーボネート樹脂からなるディスク基板１、ＡｌＮからなる透明誘電体層２５，２８，３０、ＧｄＦｅＣｏからなる再生層２６、ＧｄＦｅからなる再生補助層２７、ＴｂＦｅＣｏからなる記録層２９、Ａｌ合金からなる放熱層３１、紫外線硬化樹脂からなる保護コート層３２とした。また、再生層２６は、１５０℃近傍で、面内磁化から垂直磁化に移行する特性を有する（臨界温度が１５０℃）ものであった。
【００６８】
また、各サンプルにおけるグルーブの幅（トラック幅）を０．４μｍ，グルーブ深さ（溝深さ）を３５ｎｍに設定した。また、各サンプルのウォブリング周期を一定（３５μｍ）とし、さらに、ウォブリング振幅量を０ｎｍから±１５ｎｍの範囲で変化させた。
【００６９】
また、各サンプルに対するデータの記録・再生条件は以下の通りである。
すなわち、本記録再生装置の半導体レーザ３４から照射されるレーザ光（記録および再生に用いるレーザ光）の波長を４０５ｎｍとし、さらに、対物レンズ３８のＮＡ（Ｎｕｍｅｒｉｃａｌ　Ａｐｅｒｔｕｒｅ；開口数）を０．６に設定した。また、レーザ光を、各サンプルに対してディスク基板１側から入射した。
【００７０】
さらに、データの記録は、線速度３ｍ／ｓで、光パルス磁界変調記録により、最短ビット長０．２μｍの（１，７）ＲＬＬ変調コードで行った。そして、このように記録されたデータを再生し、データ信号およびウォブリング信号（ウォブリング再生信号）を生成して、データ信号のビットエラーレート（Ｄ−ＢＥＲ），ウォブリング信号のＣＮＲ（Ｗ−ＣＮＲ），Ｉｗ／ＩｏおよびＩｗ／Ｉｔを測定した。
【００７１】
【表１】
2004055011.tif 000003
【００７２】
表１は、各サンプルのウォブリング振幅量と、Ｄ−ＢＥＲ，Ｗ−ＣＮＲ，Ｉｗ／ＩｏおよびＩｗ／Ｉｔの測定結果とを示す表である。
【００７３】
ウォブリング信号は、３２ｄＢ以上のＷ−ＣＮＲを有する場合に、回転制御信号および／またはアドレス信号として実用可能である。そして、３２ｄＢ以上のＷ−ＣＮＲは、表１より、ウォブリング振幅量を±３ｎｍ以上とする場合に実現できることがわかる。
【００７４】
一方、データ信号は、１×１０−４以下のＤ−ＢＥＲを有する場合に、再生のための信号として実用可能である。そして、１×１０−４以下のＤ−ＢＥＲは、表１より、ウォブリング振幅量を±９ｎｍ以下とする場合に実現できることがわかる。
以上の結果から、ウォブリングの振幅量を、±３ｎｍから±９ｎｍの範囲とすることが好ましいといえる。
【００７５】
また、ウォブリング信号は、３４ｄＢ以上のＷ−ＣＮＲを有する場合に、回転制御信号および／またはアドレス信号として非常に有効に使用できる。
さらに、データ信号は、８×１０−５以下のＤ−ＢＥＲを有する場合に、再生のための信号として非常に好ましい。
従って、ウォブリングの振幅量は、±４ｎｍから±６ｎｍの範囲であればより好ましいといえる。
【００７６】
また、記録および再生に用いるレーザ光の波長（λ）を４０５ｎｍ、対物レンズ３８のＮＡを０．６としているので、この測定におけるレーザ光のスポット径変数（λ／ＮＡ）は、６７５ｎｍである。従って、スポット径変数に対する良好なウォブリング振幅量（±Ａ；Ａは絶対値）の比（Ａ×ＮＡ／λ）の範囲は、
０．００４４≦Ａ×ＮＡ／λ≦０．０１３３となる。
なお、レーザ光のスポット径変数（λ／ＮＡ）とは、レーザ光のスポット径を定数で割ったものである。
【００７７】
さらに、表１に、各サンプルにおけるＩｗ／Ｉｏ，Ｉｗ／Ｉｔを示した。
ここで、Ｉｗ／Ｉｏは、トラックエラー信号におけるウォブリング信号量（Ｉｗ；ウォブリング信号振幅量）と、溝のない部分からの反射光を光電変換して得られる電気信号量（Ｉｏ）との比である。
【００７８】
また、Ｉｗ／Ｉｔは、上記のＩｗと、オフトラック時のトラックエラー信号量（Ｉｔ）との比である。
ここで、オフトラック時とは、トラックサーボをかけていないとき、のことである。このときは、トラックの偏心により、光スポットは複数のトラックを横切っている状態にある。すなわち、Ｉｔは、光スポットが複数トラックを横切った場合における、トラックエラー信号の信号振幅量である。
【００７９】
各サンプルのウォブリングにおける物理的な振幅量（ウォブリング物理振幅量）が同一であっても、検出されるウォブリング信号量は、サンプルの反射率やトラック形状により変化する。
そして、Ｉｗ／Ｉｏは、サンプルの反射率によってウォブリング信号量（Ｉｗ）を規格化したものである。これにより、ウォブリング信号量（Ｉｗ）を、反射率の影響を除いて評価できる。
また、Ｉｗ／Ｉｔは、トラックエラー信号量（Ｉｔ）によってウォブリング信号量（Ｉｗ）を規格化した値である。これにより、ウォブリング信号量（Ｉｗ）を、トラック形状の影響を除いて評価できる。
【００８０】
そして、上記したように、ウォブリング信号は、３２ｄＢ以上のＷ−ＣＮＲを有する場合に、アドレス信号（および／またはクロック信号）として実用可能である。そして、３２ｄＢ以上のＷ−ＣＮＲは、表１より、Ｉｗ／Ｉｏを０．０１０以上とする場合に実現できることがわかる。
【００８１】
一方、データ信号は、１×１０−４以下のＤ−ＢＥＲを有する場合に、再生のための信号として実用可能である。そして、１×１０−４以下のＤ−ＢＥＲは、表１より、Ｉｗ／Ｉｔを０．０７１以下とする場合に実現できることがわかる。
従って、Ｉｗ／Ｉｏ≧０．０１０、かつ、Ｉｗ／Ｉｔ≦０．０７１の範囲であれば、良好な再生信号品質を得られるといえる。
【００８２】
〔実験２〕
実験２では、１０種類の溝深さ（グルーブの深さ）および様々なウォブリング振幅量を有する複数の本ディスクのサンプルを作成し、上記した本記録再生装置を用いてデータを記録した後、ウォブリング信号（アドレス信号）およびデータ信号の再生信号品質を測定した。
なお、各サンプルの層構成、および、各サンプルに対するデータの記録・再生条件は、実験１において示したものと同様とした。
【００８３】
【表２】
2004055011.tif 000004
【００８４】
表２は、各サンプルに対する測定において、Ｄ−ＢＥＲが１×１０−４以下となり、かつ、Ｗ−ＣＮＲが３２ｄＢ以上となるような、ウォブリング振幅量，Ｉｗ／ＩｏおよびＩｗ／Ｉｔの範囲と、各サンプルの溝深さ（ｄ）との関係を示す表である。
【００８５】
また、この表２には、レーザ光の波長と光路長との比である、λ／（ｎ×ｄ）の値も示している。ここで、ｎは、光の入射する側に位置する層の屈折率、すなわち、ディスク基板１の屈折率である。そして、このλ／（ｎ×ｄ）の値は、光波の位相に反比例するものであり、溝深さを位相の逆数で規格化したものである。
【００８６】
この表に示すように、５．５≦λ／（ｎ×ｄ）≦１６を満たす場合、Ｉｗ／Ｉｏ≧０．０１０、かつ、Ｉｗ／Ｉｔ≦０．０７１となり、良好な再生信号品質を得られることがわかる。
【００８７】
〔実験３〕
実験３では、８種類のトラックピッチを有する複数の本ディスクのサンプルを作成し、上記した本記録再生装置を用いてデータを記録した後、ウォブリング信号（アドレス信号）およびデータ信号の再生信号品質を測定した。
【００８８】
なお、各サンプルの層構成、および、各サンプルに対するデータの記録・再生条件は、実験１において示したものと同様とした。また、各サンプルのグルーブ幅およびグルーブ間距離（ランド幅）は、ほぼ等しくした。
【００８９】
【表３】
2004055011.tif 000005
【００９０】
表３は、各サンプルに対する測定において、Ｄ−ＢＥＲが１×１０−４以下となり、かつ、Ｗ−ＣＮＲが３２ｄＢ以上となるような、ウォブリング振幅量，Ｉｗ／ＩｏおよびＩｗ／Ｉｔの範囲と、各サンプルのトラックピッチ（ＴＰ）との関係を示す表である。
また、この表には、トラックピッチ（ＴＰ）をスポット径変数によって規格化した値であるＴＰ×ＮＡ／λも示している。
【００９１】
本ディスクを高密度化（大容量化）するためには、トラックピッチおよびＴＰ×ＮＡ／λは小さい程よい。表３に示すように、０．８３≦ＴＰ×ＮＡ／λを満たす場合、Ｉｗ／Ｉｏ≧０．０１０、かつ、Ｉｗ／Ｉｔ≦０．０７１となり、良好な再生信号品質を得られることがわかる。
【００９２】
なお、本実施の形態では、本ディスクでは、ディスク基板１側からレーザ光の照射を受けることで、記録・再生が行われるとしている。しかしながら、これに限らず、本ディスクを、保護コート層３２側からのレーザ光照射によって記録・再生を行える構成とすることもできる（膜面入射方式）。
【００９３】
図６は、このような構成を有する本ディスクを示す断面図（説明図）である。この図に示すように、この構成では、ディスク基板１上に、放熱層３１，透明誘電体層３０，記録層２９，透明誘電体層２８，再生補助層２７，再生層２６，透明誘電体層２５，保護コート層３２が、この順に積層されている。
【００９４】
このように、この構成では、保護コート層３２以外の各層２５〜３１が、図３に示したディスクとは逆順に積層されている。なお、各層の材料は、図３に示したディスクと同様である。
【００９５】
この構成では、記録トラックの形成されたディスク基板１とは逆側の、保護コート層３２側にレーザ光を照射して記録再生を行うようになっている。このため、ディスク基板１の反りの影響を小さくできる。さらに、記録再生装置における対物レンズのＮＡを高くできるので、高密度化を図れる。
【００９６】
次に、図６に示した構成を有する、本ディスクにおけるウォブリング振幅量，グルーブ深さ（溝深さ）およびトラックピッチの適切な値を確認するための実験について説明する。
【００９７】
〔実験４〕
実験４では、側壁４の様々なウォブリング振幅量を有する、本ディスクにおける１１種類のサンプルを作成し、図４に示した本記録再生装置を用いてデータを記録した後、ウォブリング信号（アドレス信号）およびデータ信号の再生信号品質を測定した。
【００９８】
なお、各サンプルの層構成（層の材料など）は、実験１に示したものと同様である。また、各サンプルにおけるグルーブの幅（トラック幅）を０．２５μｍ，溝深さを５０ｎｍに設定した。また、各サンプルのウォブリング周期を一定（３５μｍ）とし、さらに、ウォブリング振幅量を０ｎｍから±１０ｎｍの範囲で変化させた。
【００９９】
また、各サンプルに対するデータの記録・再生条件は以下の通りである。
すなわち、本記録再生装置の半導体レーザ３４から照射されるレーザ光（記録および再生に用いるレーザ光）の波長を４０５ｎｍとし、さらに、対物レンズ３８のＮＡを０．９に設定した。また、レーザ光を、各サンプルに対して保護コート層３２側から入射した。
【０１００】
さらに、データの記録は、線速度３ｍ／ｓで、光パルス磁界変調記録により、最短ビット長０．１３３μｍの（１，７）ＲＬＬ変調コードで行った。そして、このように記録されたデータを再生し、データ信号およびウォブリング信号（ウォブリング再生信号）を生成して、データ信号のビットエラーレート（Ｄ−ＢＥＲ），ウォブリング信号のＣＮＲ（Ｗ−ＣＮＲ），Ｉｗ／ＩｏおよびＩｗ／Ｉｔを測定した。
【０１０１】
【表４】
2004055011.tif 000006
【０１０２】
表４は、各サンプルのウォブリング振幅量と、Ｄ−ＢＥＲ，Ｗ−ＣＮＲ，Ｉｗ／ＩｏおよびＩｗ／Ｉｔの測定結果とを示す表である。
【０１０３】
上記したように、ウォブリング信号は、３２ｄＢ以上のＷ−ＣＮＲを有する場合に、回転制御信号および／またはアドレス信号として実用可能である。そして、３２ｄＢ以上のＷ−ＣＮＲは、表４より、ウォブリング振幅量を±２ｎｍ以上とする場合に実現できることがわかる。
【０１０４】
一方、データ信号は、１×１０−４以下のＤ−ＢＥＲを有する場合に、再生のための信号として実用可能である。そして、１×１０−４以下のＤ−ＢＥＲは、表１より、ウォブリング振幅量を±６ｎｍ以下とする場合に実現できることがわかる。
以上の結果から、ウォブリングの振幅量を±２ｎｍから±６ｎｍの範囲とすることが好ましいといえる。
【０１０５】
また、記録および再生に用いるレーザ光の波長（λ）を４０５ｎｍ、対物レンズ３８のＮＡを０．９としているので、この測定におけるレーザ光のスポット径変数（λ／ＮＡ）は、４５０ｎｍである。従って、スポット径変数に対する良好なウォブリング振幅量の比（Ａ×ＮＡ／λ）の範囲は、実験１で得られた値と同様に、
０．００４４≦Ａ×ＮＡ／λ≦０．０１３３となる。
【０１０６】
また、表４に示したように、３２ｄＢ以上のＷ−ＣＮＲおよび１×１０−４以下のＤ−ＢＥＲを実現して、良好な再生信号品質を得るためには、Ｉｗ／Ｉｏ≧０．０１０、かつ、Ｉｗ／Ｉｔ≦０．０７１であればよいことがわかる。
【０１０７】
〔実験５〕
実験５では、１０種類の溝深さ（グルーブの深さ）および様々なウォブリング振幅量を有する複数の本ディスクのサンプルを作成し、上記した本記録再生装置を用いてデータを記録した後、ウォブリング信号（アドレス信号）およびデータ信号の再生信号品質を測定した。
なお、各サンプルの層構成、および、各サンプルに対するデータの記録・再生条件は、実験４において示したものと同様である。
【０１０８】
【表５】
2004055011.tif 000007
【０１０９】
表５は、各サンプルに対する測定において、Ｄ−ＢＥＲが１×１０−４以下となり、かつ、Ｗ−ＣＮＲが３２ｄＢ以上となるような、ウォブリング振幅量，Ｉｗ／ＩｏおよびＩｗ／Ｉｔの範囲と、各サンプルの溝深さ（ｄ）との関係を示す表である。
また、この表５には、レーザ光の波長と光路長との比である、λ／（ｎ×ｄ）の値も示している。なお、この式のｎは、光の入射する側に位置する層の屈折率、すなわち、保護コート層３２の屈折率である。
【０１１０】
この表に示すように、表２（実験２）に示した結果と同様に、５．５≦λ／（ｎ×ｄ）≦１６を満たす場合、Ｉｗ／Ｉｏ≧０．０１０、かつ、Ｉｗ／Ｉｔ≦０．０７１となり、良好な再生信号品質を得られることがわかる。
【０１１１】
また、様々なトラックピッチを有する複数の本ディスク（図６のタイプ）のサンプルを作成し、上記した本記録再生装置を用いてデータを記録した後、ウォブリング信号（アドレス信号）およびデータ信号の再生信号品質を測定した。また、各サンプルの層構成、および、各サンプルに対するデータの記録・再生条件は、実験４において示したものと同様とした。さらに、各サンプルのグルーブ幅およびグルーブ間距離（ランド幅）は、ほぼ等しくした。
【０１１２】
その結果、実験３で示した結果と同様に、０．８３≦ＴＰ×ＮＡ／λの範囲であれば、Ｉｗ／Ｉｏ≧０．０１０、かつ、Ｉｗ／Ｉｔ≦０．０７１となり、良好な再生信号品質を得られることがわかった。
【０１１３】
また、本実施の形態では、本ディスクを光磁気ディスクであるとしている。しかしながら、本発明の光記録媒体は、光磁気ディスクに限定されるものではない。例えば、本発明の光記録媒体を、相変化ディスク等、他の記録方式を利用した媒体とすることもできる。このような媒体においても、実験１〜５等に示した結果と同様の実験結果を得ており、ウォブリング振幅量の好ましい範囲は、光磁気ディスクと同様であることがわかっている。
なお、相変化ディスクは、外部磁界を印加することなく、レーザ光のみでデータ記録（書き換え）を行えるものである。
【０１１４】
以下に、相変化ディスクからなる本ディスクについて説明する。図７は、相変化ディスクからなる本ディスクの構成を示す断面図（説明図）である。
この図に示すように、この構成では、ディスク基板１上に、反射層４４，透明誘電体層４５，記録層４６，透明誘電体層４７，透明カバー層４８が、この順に積層されている。
【０１１５】
透明誘電体層４５・４７は、ＺｎＳ−ＳｉＯ２、Ａｌ２Ｏ３、ＳｉＯ２等の材料からなり、１層ないし２層で構成されている。反射層４４は、ＡｌあるいはＡｌを含む合金膜からなるものである。
透明カバー層４８は、紫外線硬化樹脂あるいはプラスチックシートからなる。記録層４６は、ＧｅＳｂＴｅ、ＡｇＩｎＳｂＴｅ等の相変化記録材料により構成されている。
【０１１６】
この構成では、記録トラックの形成されたディスク基板１とは逆側の、透明カバー層４８側にレーザ光を照射して記録再生を行うようになっている。このため、ディスク基板１の反りの影響を小さくできる。さらに、記録再生装置における対物レンズのＮＡを高くできるので、高密度化を図れる。
また、透明カバー層４８を設けているので、ディスクの耐環境性を向上でき、信頼性にも優れている。
【０１１７】
ここで、図７に示した構成を有する、相変化型の本ディスクにおけるウォブリング振幅量，グルーブ深さ（溝深さ）およびトラックピッチの適切な値を確認するための実験について説明する。
【０１１８】
〔実験６〕
実験６では、側壁４の様々なウォブリング振幅量を有する、本ディスクにおける１１種類のサンプルを作成し、図４に示した本記録再生装置を用いてデータを記録した後、ウォブリング信号（アドレス信号）およびデータ信号の再生信号品質を測定した。
【０１１９】
なお、各サンプルにおけるグルーブの幅（トラック幅）を０．２６μｍ、溝深さを３５ｎｍに設定した。また、各サンプルのウォブリング周期を一定（３５μｍ）とし、さらに、ウォブリング振幅量を０ｎｍから±１０ｎｍの範囲で変化させた。
【０１２０】
また、各サンプルに対するデータの記録・再生条件は以下の通りである。
すなわち、本記録再生装置の半導体レーザ３４から照射されるレーザ光（記録および再生に用いるレーザ光）の波長を４０５ｎｍとし、さらに、対物レンズ３８のＮＡを０．８５に設定した。また、レーザ光を、各サンプルに対して透明カバー層４８側から入射した。
【０１２１】
さらに、データの記録は、線速度３ｍ／ｓで、最短ビット長０．１３３μｍの（１，７）ＲＬＬ変調コードで行った。そして、このように記録されたデータを再生し、データ信号およびウォブリング信号を生成して、データ信号のビットエラーレート（Ｄ−ＢＥＲ），ウォブリング信号のＣＮＲ（Ｗ−ＣＮＲ），Ｉｗ／ＩｏおよびＩｗ／Ｉｔを測定した。
【０１２２】
【表６】
2004055011.tif 000008
【０１２３】
表６は、各サンプルのウォブリング振幅量と、Ｄ−ＢＥＲ，Ｗ−ＣＮＲ，Ｉｗ／ＩｏおよびＩｗ／Ｉｔの測定結果とを示す表である。
【０１２４】
上記したように、ウォブリング信号は、３２ｄＢ以上のＷ−ＣＮＲを有する場合に、回転制御信号および／またはアドレス信号として実用可能である。そして、３２ｄＢ以上のＷ−ＣＮＲは、表６より、ウォブリング振幅量を±２ｎｍ以上とする場合に実現できることがわかる。
【０１２５】
一方、データ信号は、１×１０−４以下のＤ−ＢＥＲを有する場合に、再生のための信号として実用可能である。そして、１×１０−４以下のＤ−ＢＥＲは、表１より、ウォブリング振幅量を±６ｎｍ以下とする場合に実現できることがわかる。
【０１２６】
以上の結果から、図７に示したタイプの本ディスクにおいても、ウォブリングの振幅量を±２ｎｍから±６ｎｍの範囲とすることが好ましいといえる。
【０１２７】
また、記録および再生に用いるレーザ光の波長（λ）を４０５ｎｍ、対物レンズ３８のＮＡを０．８５としているので、この測定におけるレーザ光のスポット径変数（λ／ＮＡ）は、約４７６ｎｍである。従って、スポット径変数に対する良好なウォブリング振幅量の比（Ａ×ＮＡ／λ）の範囲は、０．００４２≦Ａ×ＮＡ／λ≦０．０１２６となる。
【０１２８】
また、表６に示したように、３２ｄＢ以上のＷ−ＣＮＲおよび１×１０−４以下のＤ−ＢＥＲを実現して、良好な再生信号品質を得るためには、Ｉｗ／Ｉｏ≧０．０１０、かつ、Ｉｗ／Ｉｔ≦０．０７１であればよいことがわかる。
【０１２９】
また、図７に示した本ディスクに関し、溝深さおよびウォブリング振幅量を変化させたサンプルを作成し、上記した本記録再生装置を用いてデータを記録した後、ウォブリング信号（アドレス信号）およびデータ信号の再生信号品質を測定した。なお、各サンプルの層構成、および、各サンプルに対するデータの記録・再生条件は、上記と同様である。
【０１３０】
この実験の結果、表２（実験２）で示した結果と同様に、５．５≦λ／（ｎ×ｄ）≦１６を満たす場合、Ｉｗ／Ｉｏ≧０．０１０、かつ、Ｉｗ／Ｉｔ≦０．０７１となり、良好な再生信号品質を得られることがわかった（ｎは透明カバー層４８の屈折率）。
【０１３１】
また、様々なトラックピッチを有する複数の本ディスク（図７のタイプ）のサンプルを作成し、上記した本記録再生装置を用いてデータを記録した後、ウォブリング信号（アドレス信号）およびデータ信号の再生信号品質を測定した。また、各サンプルの層構成、および、各サンプルに対するデータの記録・再生条件は、上記と同様とした。さらに、各サンプルのグルーブ幅およびグルーブ間距離（ランド幅）は、ほぼ等しくした。
【０１３２】
その結果、実験３で示した結果と同様に、０．８３≦ＴＰ×ＮＡ／λの範囲であれば、Ｉｗ／Ｉｏ≧０．０１０、かつ、Ｉｗ／Ｉｔ≦０．０７１となり、良好な再生信号品質を得られることがわかった。
【０１３３】
次に、図１・２に示した本ディスクのディスク基板１における製造方法（製造プロセス）について説明する。
【０１３４】
ディスク基板１の製造では、まず、ディスク基板１の基になるマスターガラス原盤を作成する。そして、このマスターガラス原盤からスタンパー２４を作成し、このスタンパー２４を用いた成型により、ディスク基板１を形成するようになっている。
【０１３５】
まず、マスターガラス原盤の製造プロセスについて説明する。図８（ａ）〜（ｅ）は、このマスターガラス原盤の製造プロセスを示す説明図である。
【０１３６】
マスターガラス原盤の製造では、まず、図８（ａ）に示すように、ガラス原盤５１の片面に、フォトレジスト７を塗布する。
次に、図８（ｂ）に示すように、対物レンズ８によってレーザ光をフォトレジスト７上に集光し、フォトレジスト７を、所望のグルーブパターン（本ディスクのグルーブ２に応じたパターン）に応じて感光させる。
【０１３７】
その後、図８（ｃ）に示すように、フォトレジスト７を現像することにより、フォトレジスト７の感光部分を除去する。これにより、フォトレジスト７の除去された部位により、上記のグルーブパターンが形成される。
【０１３８】
次に、図８（ｄ）に示すように、フォトレジスト７をマスクとして、ドライエッチングもしくはウエットエッチングにより、ガラス原盤５１をエッチングする。これにより、ガラス原盤５１の表面に、上記した所望のグルーブパターンが形成される。
その後、図８（ｅ）に示すように、残ったフォトレジスト７を、アッシング等により除去する。これにより、マスターガラス原盤９が完成する。
【０１３９】
次に、マスターガラス原盤９から成形基板を製造するプロセスについて説明する。図９（ａ）〜（ｅ）は、このプロセスを説明するための説明図である。
まず、図９（ａ）に示すように、マスターガラス原盤９に、導電性の薄膜２２を、スパッタあるいは無電解メッキなどによって形成する。
【０１４０】
次に、図９（ｂ）に示すように、薄膜２２上に、金属層２３を電鋳などによって形成する。その後、図９（ｃ）に示すように、薄膜２２・金属層２３を、マスターガラス原盤９から剥離する。
【０１４１】
そして、図９（ｄ）に示すように、薄膜２２・金属層２３に対し、裏面研磨，内外径加工を行い、スタンパー２４を形成する。次に、図９（ｅ）に示すように、スタンパー２４を用いた射出成型もしくは射出圧縮成型により、プラスチックからなるディスク基板１を形成する。
【０１４２】
なお、薄膜２２の材料としては、Ｎｉ，Ｔａ，Ｃｒまたはその合金、あるいはそれらの複合膜を用いることが可能である。また、金属層２３の材料としては、Ｎｉ，Ｔａ，Ｃｒまたはその合金、あるいはそれらの複合膜を使用できる。
また、ディスク基板１のプラスチック材料としては、ポリカーボネート樹脂，アクリル樹脂，エチレン樹脂，エステル樹脂，ナイロン樹脂，ＡＰＯ（活性ポリオレフィン樹脂）などの熱可塑性樹脂を使用できる。
【０１４３】
また、スタンパー２４の製造方法は、マスターガラス原盤９を用いる方法に限らない。例えば、レジスト原盤を作成して、このレジスト原盤を用いてスタンパー２４を製造してもよい。また、図９（ａ）〜（ｄ）の工程を２回繰り返すことにより、凹凸を逆転させたスタンパーを形成できる。
【０１４４】
また、ディスク基板１のグルーブ深さ（ランド高さ）は、マスターガラス原盤９の製造プロセスにおける、図８（ｄ）に示したエッチングの条件を変えることにより制御できる。また、グルーブおよびランドの両方を記録トラック（情報トラック）として用いる場合、グルーブ深さ（ランド高さ）を、λ／（６×ｎ）の近傍とすることが好ましい。この構成では、記録信号に関する記録トラック間のクロストーク（隣接トラックからの回り込みノイズ）を低減でき、高密度化に適している。
【０１４５】
また、図８（ａ）〜（ｅ）を用いて、マスターガラス原盤９の製造方法を示したが、ここで、マスターガラス原盤９の製造に使用される、フォトレジスト７を感光させる装置（感光装置）について説明する。
【０１４６】
図１０は、この感光装置の構成を示す説明図である。この図に示すように、感光装置は、レーザ光源１０ａ，レーザ光源１０ｂ，ノイズ抑制装置１１，ミラー１２，光変調器１３，ミラー１４，光偏向器１５，ビームエキスパンダー１６，ハーフミラー１７・１８，対物レンズ１９，シリンドリカルレンズ２０，光検出器２１を備えている。
【０１４７】
レーザ光源１０ａは、フォトレジスト７を感光させるために照射されるレーザ光（感光レーザ光）を発する光源である。このレーザ光源１０ａとしては、例えば、Ｋｒレーザ光源を用いることが可能である。
【０１４８】
ノイズ抑制装置１１は、レーザ光源１０ａから出射されて自身を通過する感光レーザ光の光ノイズを低減させるものである。ミラー１２は、ノイズの低減された感光レーザ光の進行方向を光変調器１３に向けるものである。
【０１４９】
光変調器１３は、自身を通過する感光レーザ光に所定の変調を加えるものである。ミラー１４は、光変調器１３を通過した感光レーザ光の進行方向を光偏向器１５に向けるものである。光偏向器１５は、自身を通過する感光レーザ光に所定の偏向を加えるものである。
なお、光変調器１３および光偏向器１５としては、例えば、電気光学素子を用いることができる。
【０１５０】
ビームエキスパンダー１６は、光偏向器１５を通過した感光レーザ光のビーム径を適切な大きさに拡大するものである。ハーフミラー１７は、ビーム径の拡大された感光レーザ光の進行方向を、対物レンズ８に向けるものである。また、ハーフミラー１７は、対物レンズ８を通過したフォーカスレーザ光（後述）を透過させる機能も有している。
対物レンズ８は、ハーフミラー１７からの感光レーザ光、あるいは、後述するハーフミラー１８からのフォーカスレーザ光を、ガラス原盤５１上のフォトレジスト７に集光させるものである。
【０１５１】
また、レーザ光源１０ｂは、対物レンズ８のフォーカス調整用に使用されるレーザ光（フォーカスレーザ光）のための光源である。このレーザ光源１０ｂとしては、例えば、Ｈｅ−Ｎｅレーザ光を使用できる。
【０１５２】
ハーフミラー１８は、レーザ光源１０ｂから出射されたフォーカスレーザ光の進行方向を対物レンズ８に向けるものである。
【０１５３】
また、対物レンズ８によってガラス原盤５１上のフォトレジスト７に集光・反射されたフォーカスレーザ光は、対物レンズ８，ハーフミラー１８を通過して、対物レンズ１９・シリンドリカルレンズ２０に向かう。これらの対物レンズ１９・シリンドリカルレンズ２０は、自身を通過するフォーカスレーザ光を、光検出器２１に集光させるものである。
【０１５４】
光検出器２１は、自身に集光されたフォーカスレーザ光の状態に応じた駆動信号を、フォーカスサーボ系（図示せず）に出力するものである。フォーカスサーボ径は、駆動信号に基づいて、対物レンズ８をフォーカス方向に駆動する。これにより、スピンドルモータで回転しているガラス原盤５１上のフォトレジスト７に、対物レンズ８の焦点が合わされる。
【０１５５】
なお、この感光装置では、光偏向器１５により、アドレス情報に応じて、感光レーザ光のスポット位置を、ガラス原盤５１の半径方向に変化させるようになっている。これにより、所望のグルーブパターンに応じて、フォトレジスト７の感光部分をウォブリングさせることが可能となる。
【０１５６】
また、本実施の形態では、図８（ａ）〜（ｅ）を用いて、マスターガラス原盤９の製造方法を示した。しかしながら、マスターガラス原盤９の製造方法はこの方法に限らない。例えば、所望のパターンの形成されたマスク原盤を作成し、このマスク原盤を用いて、密着露光法によりマスターガラス原盤９を製造してもよい。
【０１５７】
また、本実施の形態では、記録および再生に用いるレーザ光の波長を同一としている。しかしながら、これに限らず、記録レーザ光と再生レーザ光との波長を変えるようにしてもよい。
また、この場合、本ディスクのウォブリング振幅量に関する（Ａ×ＮＡ／λ）の範囲は、再生レーザ光あるいは記録レーザ光のいずれかの波長に合わせて、０．００４４≦Ａ×ＮＡ／λ≦０．０１３３（相変化型の場合は０．００４２≦Ａ×ＮＡ／λ≦０．０１２６）を満たすように設定されることが好ましい。
【０１５８】
また、同様に、本ディスクの溝深さ（ｄ）およびトラックピッチ（ＴＰ）の範囲も、再生レーザ光あるいは記録レーザ光のいずれかの波長に合わせて、５．５≦λ／（ｎ×ｄ）≦１６、０．８３≦ＴＰ×ＮＡ／λを満たすように設定されることが好ましい。
【０１５９】
また、本実施の形態では、ディスク基板１のグルーブ２が螺旋状であるとしている。しかしながら、ディスク基板１では、グルーブ２を同心円状に形成してもよい。
【０１６０】
また、本実施の形態では、ディスク基板１のグルーブ２における側壁４を、アドレス情報に応じてウォブリング（蛇行）させているとしている。しかしながら、この側壁４を、回転制御情報（クロック情報）に応じてウォブリングさせるようにしてもよい。これにより、ウォブリング信号に基づいて、回転制御信号（クロック信号）を得ることができる。また、側壁４のウォブリングを、アドレス情報およびクロック情報の双方に応じたものとすることで、ウォブリング信号から、アドレス信号およびクロック信号の双方を得られる。
【０１６１】
また、側壁４を、クロック信号とは異なる回転制御情報に応じてウォブリングさせてもよい。これにより、ウォブリング信号に基づいて、上記の回転制御信号を得ることができる。
【０１６２】
また、側壁４のウォブリングを、アドレス情報，クロック情報および回転制御情報の全てに応じたものとすることで、ウォブリング信号から、アドレス信号，クロック信号および回転制御信号の３つの信号を得られる。
【０１６３】
また、本実施の形態では、本ディスクを再生する際、プッシュプル法によってトラックエラー信号を得るとしている。しかしながら、これに限らず、トラックエラー信号を、他の方法によって取得するようにしてもよい。
【０１６４】
また、本実施の形態では、グルーブ２を記録トラックとするとしている。しかしながら、これに限らず、ランド３のみを記録トラックとしてもよい。また、グルーブ２とランド３との双方を記録トラックとして用いてもよい。
光スポット５をグルーブ２に追従させるか、ランド３に追従させるかは、トラックエラー信号の極性を反転させることによって容易に選択できる。
【０１６５】
また、本実施の形態では、図４に示した本記録再生装置の光学ヘッド４１を、磁気光学効果を利用した光磁気ディスク用の光学ヘッドであるとしている。しかしながら、本記録再生装置には、他の方式を用いた光記録媒体用の光学ヘッドを搭載することも可能である。
【０１６６】
また、本実施の形態では、図４に示した本記録再生装置の受光部４０を、２分割された構成であるとしている。しかしながら、これに限らず、受光部４０を、３つ以上に分割してもよい。すなわち、受光部４０は、複数の領域に分割されていることが好ましい。
【０１６７】
また、本ディスクからの反射光を光電変換して得られる電気信号は、「媒体に記録されたデータに応じた信号（データ信号）とトラックエラー信号（プッシュプル信号）とに分けられる。また、上記のデータ信号は、記録情報信号，記録信号，記録情報の再生信号と表現することもできる。さらに、ウォブリング信号は、トラックエラー信号から取り出されるウォブリング周波数成分に応じた信号であり、ウォブリング再生信号，トラックのウォブリングからの再生信号と表現することもできる。また、ウォブリング信号から、回転制御情報の再生信号、アドレス情報の再生信号およびクロック信号を得ることが可能である。
【０１６８】
また、本実施の形態では、Ａ×ＮＡ／λを、スポット径変数（λ／ＮＡ）に対する良好なウォブリング振幅量の比であるとしている。ここで、光スポット径∝λ／ＮＡであることから、Ａ×ＮＡ／λは、光スポット径に対するウォブリング振幅量の比の定数倍であるということもできる。
【０１６９】
また、本実施の形態では、本発明の光記録媒体を、光磁気ディスクあるいは相変化型の光ディスクであるとしている。しかしながら、本発明の光記録媒体は、ディスク形状である必要はなく、どのような形状を有していてもよい。
【０１７０】
また、本実施の形態では、屈折率として、ディスク基板１あるいは保護コート層３２の屈折率を用いている。
しかしながら、これに限らず、屈折率ｎとしては、レーザ光の照射を受ける表面から、記録層（あるいは再生層）に到達するまでの部位における、平均の屈折率を用いてもよい。また、屈折率ｎとして、ディスク基板１あるいは保護コート層３２のように、上記の部位のなかで最も支配的な（厚い）層の屈折率を採用することもできる。
【０１７１】
また、本発明の光記録媒体を、光記録再生装置において記録レーザ光（あるいは記録レーザ光および磁場）によってデータを記録される一方、再生レーザ光によってデータ再生の行われる光記録媒体であって、付帯情報に応じた周波数でウォブリングされたグルーブを備えた光記録媒体において、上記光記録再生装置における対物レンズの開口数をＮＡ，記録レーザ光の波長をλとする場合、上記グルーブにおけるウォブリング振幅量の絶対値Ａが、．００４２≦Ａ×ＮＡ／λ≦０．０１２６（あるいは０．００４４≦Ａ×ＮＡ／λ≦０．０１３３）を満たす構成である、と表現することもできる。
【０１７２】
また、通常、光記録媒体における記録トラックのウォブリングの振幅量は、ウォブリング再生信号の信号品質より最適化されているといえる。また、光記録媒体の高密度化が要求され、レーザの短波長化、対物レンズの高ＮＡ化、磁気的超解像媒体の開発等により、情報トラックの狭トラックピッチ化や記録情報信号の狭小化が進み、情報トラックのウォブリングの記録情報の再生信号への影響が大きくなり、従来のウォブリング振幅量では情報再生信号が劣化するという問題が生じているといえる。また、狭トラックピッチ化に伴い、ウォブリング振幅量も小さくなり、基板製造時に、物理量だけでの制御が難しくなってきているともいえる。
【０１７３】
また、図３に示した光ディスクは、次のように再生することもできる。すなわち、再生層２６に光ビームが照射されると、照射された部位の温度分布はガウス分布になるので、光ビームの径より小さい領域のみの温度が上昇する。この温度上昇に伴って、温度上昇部位の磁化は、面内磁化から垂直磁化に移行する。つまり、再生層２６と記録層２９の２層間の静磁結合により、記録層２９の磁化の向きが再生層２６に転写される。温度上昇部位が面内磁化から垂直磁化に移行すると、温度上昇部位のみが磁気光学効果を示すようになり、温度上昇部位からの反射光に基づいて記録層２９に記録された情報が再生される。そして、光ビームが移動して次の記録ビットを再生するときは、先の再生部位の温度は低下し、垂直磁化から面内磁化に移行する。これに伴って、この温度の低下した部位は磁気光学効果を示さなくなり、記録層２９に記録された磁化は再生層２６の面内磁化にマスクされて再生されなくなる。これにより、雑音の原因である隣接ビットからの信号が混入することがなくなる。このように、所定温度以上の温度を有する領域のみを再生に関与させるので、光ビームの径より小さい記録ビットの再生が行え、記録密度は著しく向上することになる。
【０１７４】
また、差動増幅器４３では、第１受光素子４２ａからの電気信号と第２受光素子４２ｂからの電気信号とから差動信号を演算し、この差動信号により、トラックのウォブリング信号から、回転制御信号（ウォブリングがクロック情報に応じている場合）および／またはアドレス信号が生成されるともいえる。
【０１７５】
また、図４に示した光学ヘッド４１は、磁気光学効果を利用した光磁気ディスク用の光学ヘッドについて示しているが、他の方式による記録可能なディスクに対しても本発明による光記録再生装置は適用可能である。さらに、図４あるいは図５に示す光記録再生装置において、図には明示していないが、光ディスクに記録された信号の再生、およびサーボ信号の生成機能および処理機能が装置に付加されていることはいうまでもない。
【０１７６】
また、図１０に示した装置を、フォトレジスト７をグルーブ２のパターンに感光させる装置と表現することもできる。また、この装置の構成を、以下のように表現することもできる。すなわち、この装置は、フォトレジスト７を感光させるためのレーザ光源１０ａと、対物レンズ８のフォーカス用レーザ光源１０ｂを備えており、レーザ光源１０ａには、例えばＫｒレーザが使用され、レーザ光源１０ｂには、例えばＨｅ−Ｎｅレーザが使用される。レーザ光源１０ａからのレーザ光は、ノイズ抑制装置１１により光ノイズを低減した後、ミラー１２で反射され、光変調器１３に入射する。光変調器１３を通ったレーザ光は、ミラー１４で反射され、光偏向器１５に入射する。光変調器１３および光偏向器１５としては、例えば電気光学素子を用いることができる。光偏向器１５を通ったレーザ光はビームエキスパンダー１６によって適当なビーム径に拡大された後、ハーフミラー１７によって対物レンズ８に入射する。そして対物レンズ８によってガラス原盤５１上のフォトレジスト７に集光される。
【０１７７】
一方、レーザ光源１０ｂからのレーザ光は、ハーフミラー１８で反射され、対物レンズ８によってガラス原盤５１上のフォトレジスト７に集光される。その反射光は、対物レンズ８、ハーフミラー１８を通り、対物レンズ１９及びシリンドリカルレンズ２０によって光検出器２１に集光される。光検出器２１からの信号に基づいて、フォーカスサーボ系が対物レンズ８をフォーカス方向に駆動し、スピンドルモータで回転しているガラス原盤５１上のフォトレジスト７に対物レンズ８の焦点が合わされる。上記の構成において、光偏向器１５により、回転制御情報および／またはアドレス情報に応じてレーザスポットを半径方向に変化させることにより、グルーブが所望のパターンにウォブリングされる。
【０１７８】
また、表２は、それぞれの溝深さにおいて、Ｗ−ＣＮＲが３２ｄＢ以上且つ、Ｄ−ＢＥＲが１×１０−４となる、ウォブリング振幅量、Ｉｗ／ＩｏおよびＩｗ／Ｉｔの範囲を示したものであるともいえる。
【０１７９】
また、表３は、溝および溝間の幅がほぼ等しくトラックピッチを変えたサンプルを作製し、それぞれのトラックピッチにおいて、Ｗ−ＣＮＲが３２ｄＢ以上且つ、Ｄ−ＢＥＲが１×１０−４以下となる、ウォブリング振幅量、Ｉｗ／ＩｏおよびＩｗ／Ｉｔの範囲を示したものであるともいえる。
また、λは記録レーザの波長、ｎはトラックの光入射側の屈折率（基板入射方式の場合はディスク基板１の屈折率、膜面入射方式の場合は、空気もしくはカバー層等の屈折率）であってもよい。
【０１８０】
また、本発明は、以下の第４〜第１０光記録媒体、および、第１・第２光記録再生装置として表現することもできる。すなわち、第４光記録媒体は、データを記録するトラックを有し、前記トラックが回転制御情報および／またはアドレス情報に対応して変調された信号でウォブリングされた光記録媒体において、前記トラックのウォブリング振幅量±Ａが、０．００４４≦Ａ×ＮＡ／λ≦０．０１３３の範囲（ＮＡ：対物レンズの開口数、λ：記録レーザ波長）である構成である。この構成によれば、回転制御情報および／またはアドレス情報の再生信号品質を確保し、且つ、記録情報の再生信号への影響を抑制できる。
また、『前記トラックが回転制御情報および／またはアドレス情報に対応して変調された信号でウォブリングされた光記録媒体』とは、「回転制御情報および／またはアドレス情報に対応してウォブリングされた光記録媒体」と表現することもできる。
【０１８１】
また、第５光記録媒体は、データを記録するトラックを有し、前記トラックが回転制御情報および／またはアドレス情報に対応して変調された信号でウォブリングされた光記録媒体において、前記トラックのウォブリングからの再生信号量Ｉｗが、Ｉｗ／Ｉｏ≧０．０１０、且つ、Ｉｗ／Ｉｔ≦０．０７１の範囲（Ｉｏ：光記録媒体の平坦部からの反射光量、Ｉｔ：オフトラック時のトラックエラー信号量）である構成である。この構成によれば、制御情報および／またはアドレス情報の再生信号品質を確保し、且つ、記録情報の再生信号への影響を抑制でき、基板製造時のウォブリング振幅量の制御が容易となる。
【０１８２】
また、第６光記録媒体は、第４あるいは第５光記録媒体において、トラックの深さｄが、５．５≦λ／（ｎ×ｄ）≦１６の範囲である構成である。この構成によれば、ウォブリングの振幅量の調整により、回転制御情報および／またはアドレス情報の再生信号品質を確保し、且つ、記録情報の再生信号への影響を抑制できる。
【０１８３】
また、第７光記録媒体は、第４〜６光記録媒体のいずれかにおいて、少なくとも光磁気記録層が形成されている構成である。この構成によれば、１００万回以上書き換えが可能な光記録媒体を提供できる。
【０１８４】
また、第８光記録媒体は、第４〜６光記録媒体のいずれかにおいて、少なくとも相変化記録層が形成されている構成である。この構成によれば、レーザ光のみで書き換えが可能な光記録媒体を提供できる。
【０１８５】
また、第９光記録媒体は、第４〜６光記録媒体のいずれかにおいて、少なくとも磁気的超解像光磁気記録再生層が形成されている構成である。この構成によれば、光スポット径よりも小さいビットの再生ができるようになり、高密度化が可能になる。
【０１８６】
また、第１０光記録媒体は、第４〜６の光記録媒体のいずれかにおいて、トラックが形成された基板に対して反対側から記録再生を行う構成である。この構成によれば、対物レンズのＮＡを高くでき、高密度化が可能になる。
【０１８７】
また、第１光記録再生装置は、データを記録するトラックを有し、前記トラックが回転制御情報および／またはアドレス情報に対応して変調された信号でウォブリングされ、前記トラックのウォブリング振幅量±Ａが、０．００４４≦Ａ×ＮＡ／λ≦０．０１３３の範囲である光記録媒体に対して、情報の記録再生を行う光記録再生装置であって、前記光記録媒体に光を照射し、前記光記録媒体より反射された光を１対の受光部により受光して電気信号に変換する光学ヘッドを有し、前記電気信号の差動をとったプッシュプル信号に基づいて、回転制御情報および／またはアドレス情報を再生する構成である。この構成によれば、高密度な記録情報信号と回転制御信号および／またはアドレス信号の再生が可能である。
【０１８８】
た、第２光記録再生装置は、データを記録するトラックを有し、前記トラックが回転制御情報および／またはアドレス情報に対応して変調された信号でウォブリングされ、前記トラックのウォブリングからの再生信号量Ｉｗが、Ｉｗ／Ｉｏ≧０．０１０、且つ、Ｉｗ／Ｉｔ≦０．０７１の範囲である光記録媒体に対して、情報の記録再生を行う光記録再生装置であって、前記光記録媒体に光を照射し、前記光記録媒体より反射された光を１対の受光部により受光して電気信号に変換する光学ヘッドを有し、前記電気信号の差動をとったプッシュプル信号に基づいて、回転制御情報および／またはアドレス情報を再生する構成である。この構成によれば、高密度な記録情報信号と回転制御信号および／またはアドレス信号の再生が可能である。
【０１８９】
【発明の効果】
以上のように、本発明における第１の光記録媒体（第１光記録媒体）は、光記録再生装置において記録レーザ光および磁場によってデータを記録される一方、再生レーザ光によってデータ再生の行われる光記録媒体であって、付帯情報に応じてウォブリングされたグルーブを備えた光記録媒体において、上記光記録再生装置における対物レンズの開口数をＮＡ，記録レーザ光の波長をλとする場合、上記グルーブにおけるウォブリング振幅量の絶対値Ａが、
０．００４４≦Ａ×ＮＡ／λ≦０．０１３３
を満たす構成である。
【０１９０】
また、本発明における第２の光記録媒体（第２光記録媒体）は、光記録再生装置において記録レーザ光によってデータを記録される一方、再生レーザ光によってデータ再生の行われる光記録媒体であって、付帯情報に応じてウォブリングされたグルーブを備えた光記録媒体において、上記光記録再生装置における対物レンズの開口数をＮＡ，上記記録レーザ光の波長をλとする場合、上記グルーブにおけるウォブリング振幅量の絶対値Ａが、
０．００４２≦Ａ×ＮＡ／λ≦０．０１２６
を満たす構成である。
【０１９１】
これら第１・第２光記録媒体では、グルーブにおけるウォブリングの振幅量が、付帯情報の再生信号品質を好適に確保できる範囲であって、ウォブリングの影響を回避してデータの記録・再生を良好に行える範囲（実験によって求められた範囲）に設定されている。
【０１９２】
すなわち、光記録再生装置における対物レンズの開口数をＮＡ，記録レーザ光の波長をλとする場合、グルーブにおけるウォブリング振幅量の絶対値Ａが、第１光記録媒体の場合に０．００４４≦Ａ×ＮＡ／λ≦０．０１３３を、第２光記録媒体の場合に０．００４２≦Ａ×ＮＡ／λ≦０．０１２６を満たすように設定されている。
これにより、第１・第２光記録媒体では、付帯情報の再生信号品質、および、データの記録・再生品質の双方を高められるようになっている。
【０１９３】
また、第１記録媒体を、データ（ユーザーによって記録された情報）に応じた磁化を有する記録層（データを磁気的に記録する記録層）と、再生レーザ光の照射によって高温となった領域で記録層の磁化を転写する再生層とを備えるように構成してもよい。すなわち、第１記録媒体を、磁気的超解像光磁気記録媒体としてもよい。
【０１９４】
この構成では、再生層の高温領域を再生に関与させる一方、その他の領域（低温領域）をマスクとして用いることができる。これにより、記録層の記録ビット（磁区）を、再生レーザ光のスポット径より小さくできるので、データの記録密度を著しく向上できる。また、低温領域のマスクによって、雑音の原因である隣接ビットからの信号混入を回避できる。
【０１９５】
また、本発明における第３の光記録媒体（第３光記録媒体）は、光記録再生装置において記録レーザ光および磁場、あるいは記録レーザ光によってデータを記録される一方、再生レーザ光によってデータ再生の行われる光記録媒体であって、付帯情報に応じてウォブリングされたグルーブを備えた光記録媒体において、この媒体を再生することによって得られるトラックエラー信号におけるウォブリング信号量（Ｉｗ）と、平坦部分からの反射光に応じた電気信号量（Ｉｏ）との比（Ｉｗ／Ｉｏ）、および、上記ウォブリング信号量（Ｉｗ）と、オフトラック時のトラックエラー信号量（Ｉｔ）との比（Ｉｗ／Ｉｔ）が、Ｉｗ／Ｉｏ≧０．０１０、かつ、Ｉｗ／Ｉｔ≦０．０７１を満たす構成である。
【０１９６】
第３光記録媒体では、この媒体を再生することによって得られるトラックエラー信号におけるウォブリング信号量が、付帯情報の再生信号品質を好適に確保できる範囲であって、ウォブリングの影響を回避してデータの記録・再生を良好に行える範囲（実験によって求められた範囲）に設定されている。
【０１９７】
すなわち、第３光記録媒体では、トラックエラー信号におけるウォブリング信号量（Ｉｗ）と、平坦部分（グルーブのない部分；ランドなど）からの反射光に応じた電気信号量（Ｉｏ）との比（Ｉｗ／Ｉｏ）が、Ｉｗ／Ｉｏ≧０．０１０を満たすようになっている。
さらに、第３光記録媒体では、ウォブリング信号量（Ｉｗ）と、オフトラック時のトラックエラー信号量（Ｉｔ）との比（Ｉｗ／Ｉｔ）が、Ｉｗ／Ｉｔ≦０．０７１を満たすように設定されている。
これにより、第３光記録媒体では、付帯情報の再生信号品質、および、データの記録・再生品質の双方を高められるようになっている。
【０１９８】
また、第３記録媒体が、レーザ光および磁界によってデータ記録の行われるタイプである場合には、この媒体を、第１光記録媒体と同様に、データに応じた磁化を有する記録層と、再生レーザ光の照射によって高温となった領域で記録層の磁化を転写する再生層とを備えるように構成してもよい。すなわち、第３記録媒体を、磁気的超解像光磁気記録媒体としてもよい。
【０１９９】
また、第１〜第３光記録媒体は、通常、基板と、この基板上に形成された積層体とから構成される。ここで、積層体とは、記録・再生に有効な複数種類の層の積層されたものである。また、この構成は、記録レーザ光の入射を、基板側ではなく、積層体側から受けるようになっていることが好ましい。
これにより、光記録再生装置における対物レンズのＮＡを高められるので、データを高密度で記録できる。
【０２００】
また、第１〜第３光記録媒体における記録レーザ光の入射部位の屈折率ｎと、上記グルーブの深さｄとを、
５．５≦λ／（ｎ×ｄ）≦１６
を満たすように構成することが好ましい。
【０２０１】
屈折率ｎおよびグルーブ深さ（溝深さ）ｄを上記の範囲に設定することで、付帯情報の再生信号品質をより好適に確保できるとともに、データの記録・再生をより良好に行えることが実験で確かめられている。
【０２０２】
なお、上記したように、通常、光記録媒体は、基板と、その上に形成される積層体（複数の層からなるもの）とから構成される。そして、上記した記録レーザの入射部位とは、記録レーザ光の照射を受ける表面から、積層体における記録層（データを記録するための層）に到達するまでの部位のことである。
また、入射部位の屈折率は、この部位に複数の層のある場合には、それら複数の層における平均の屈折率となる。また、入射部位の屈折率として、入射部位のなかで最も支配的な（厚い）層の屈折率を採用することもできる。
【０２０３】
また、光記録再生装置を、第１〜第３光記録媒体のいずれかを備え、これに対してデータの記録・再生を行うように構成することで、付帯情報の再生信号品質をより好適に確保できるとともに、データの記録・再生をより良好に行うことの可能な光記録再生装置を提供できる。
【図面の簡単な説明】
【図１】本発明の一実施形態にかかる光磁気ディスクのディスク基板を示す平面図である。
【図２】図１に示したディスク基板の断面図である。
【図３】上記光磁気ディスクの構成を示す断面図である。
【図４】本発明の一実施形態にかかる光記録再生装置の構成を示す説明図である。
【図５】図４に示した光記録再生装置における受光部の構成を示す説明図である。
【図６】本発明の一実施形態にかかる他の光磁気ディスクの構成を示す断面図である。
【図７】本発明の一実施形態にかかるさらに他の光磁気ディスクの構成を示す断面図である。
【図８】図１に示したディスク基板を製造するために用いるマスターガラス原盤の製造プロセスを示す説明図である。
【図９】上記マスターガラス原盤から成形基板を製造するプロセスを示す説明図である。
【図１０】上記マスターガラス原盤の製造に使用される、フォトレジストを感光させる感光装置の構成を示す説明図である。
【図１１】従来の光記録媒体の構成を示す説明図である。
【符号の説明】
１　　　ディスク基板
２　　　グルーブ
３　　　ランド
４　　　側壁
５　　　光スポット
６　　　中心線
７　　　フォトレジスト
８　　　対物レンズ
９　　　マスターガラス原盤
１０ａ　レーザ光源
１０ｂ　フォーカス用レーザ光源
１１　　ノイズ抑制装置
１２　　ミラー
１３　　光変調器
１４　　ミラー
１５　　光偏向器
１６　　ビームエキスパンダー
１７　　ハーフミラー
１８　　ハーフミラー
１９　　対物レンズ
２０　　シリンドリカルレンズ
２１　　光検出器
２２　　薄膜
２３　　金属層
２４　　スタンパー
２５　　透明誘電体層
２６　　再生層
２７　　再生補助層
２８　　透明誘電体層
２９　　記録層
３０　　透明誘電体層
３１　　放熱層
３２　　保護コート層
３３　　ディスク
３４　　半導体レーザ
３５　　コリメータレンズ
３６　　偏光子
３７　　光分岐素子
３８　　対物レンズ
３９　　検光子
４０　　受光部
４１　　光学ヘッド
４３　　差動増幅器
４４　　反射層
４５　　透明誘電体層
４６　　記録層
４７　　透明誘電体層
４８　　透明カバー層
４９　　記録トラック
Ａ　　　ウォブリング振幅量
λ　　　レーザ光の波長
ｎ　　　屈折率
ｄ　　　グルーブ深さ
【図１】
2004055011.tif 000009
【図２】
2004055011.tif 000010
【図３】
2004055011.tif 000011
【図４】
2004055011.tif 000012
【図５】
2004055011.tif 000013
【図６】
2004055011.tif 000014
【図７】
2004055011.tif 000015
【図８】
2004055011.tif 000016
【図９】
2004055011.tif 000017
【図１０】
2004055011.tif 000018
【図１１】
2004055011.tif 000019